(57)【要約】【課題】調理に関する手間を低減しつつ、飽きにくい調理体験を提供する。【解決手段】献立提示装置は、複数種類の食材を含む食材グループを示す食材グループ情報を取得する食材グループ情報取得部と、食材の種類と、当該食材の分量と、当該食材によって調理可能な複数の献立とが食材グループごとに対応付けられた献立情報が記憶される記憶部から、食材グループ情報取得部が取得する食材グループ情報が示す食材グループに対応する献立情報を取得する献立情報取得部と、献立情報取得部が取得する献立情報に含まれる複数の献立を献立候補として、利用者が利用する端末装置に対して送信する献立候補供給部とを備える。【選択図】図１
2020077235.tif 000002
【特許請求の範囲】
【請求項１】
複数種類の食材を含む食材グループを示す食材グループ情報を取得する食材グループ情報取得部と、
食材の種類と、当該食材の分量と、当該食材によって調理可能な複数の献立とが前記食材グループごとに対応付けられた献立情報が記憶される記憶部から、前記食材グループ情報取得部が取得する前記食材グループ情報が示す前記食材グループに対応する前記献立情報を取得する献立情報取得部と、
前記献立情報取得部が取得する前記献立情報に含まれる複数の献立を献立候補として、利用者が利用する端末装置に対して送信する献立候補供給部と、
を備える献立提示装置。
【請求項２】
前記献立情報とは、献立と１以上の料理レシピとが献立毎に対応付けられた情報である
請求項１に記載の献立提示装置。
【請求項３】
前記食材グループには、タンパク質を含む第１食材と、野菜である第２食材とが含まれる
請求項１又は請求項２に記載の献立提示装置。
【請求項４】
前記献立候補供給部が送信した前記献立候補のうち、利用者が選択する前記献立候補を選択済み献立として取得する選択済み献立取得部と、
前記選択済み献立取得部が取得する前記選択済み献立に含まれる食材に関する情報を献立詳細情報として前記端末装置に送信する献立詳細情報供給部と、
をさらに備える請求項１から請求項３のいずれか一項に記載の献立提示装置。
【請求項５】
前記献立情報が示す前記食材の分量の変更操作が示す分量変更情報を取得する分量変更情報取得部と、
前記分量変更情報取得部が取得する前記分量変更情報に基づいて、前記献立情報取得部が取得する前記献立情報が示す前記食材の分量が変更された情報を、新たな献立情報として生成する献立情報生成部と、
をさらに備え、
前記献立候補供給部は、
前記献立情報生成部が生成する前記新たな献立情報に含まれる複数の献立を前記献立候補として、前記端末装置に対して送信する
請求項１から請求項４のいずれか一項に記載の献立提示装置。
【請求項６】
前記献立候補供給部が送信した前記献立情報に対応する前記食材グループに含まれる食材の発注情報を取得する発注情報取得部と、
前記発注情報取得部が取得する前記発注情報に基づいて、食材の発注を指示する発注指示部と、
をさらに備える請求項１から請求項５のいずれか一項に記載の献立提示装置。
【請求項７】
請求項１から請求項６のいずれか一項に記載の前記献立提示装置と、
前記端末装置と、
を備える献立提示システム。
【請求項８】
コンピュータに、
複数種類の食材を含む食材グループを示す食材グループ情報をサーバ装置に対して送信する食材グループ情報送信ステップと、
食材の種類と、当該食材の分量と、当該食材によって調理可能な複数の献立とが前記食材グループごとに対応付けられた献立情報のうち、前記食材グループ情報送信ステップにおいて送信された前記食材グループに対応する前記献立情報を、前記サーバ装置から受信する献立情報受信ステップと、
前記献立情報受信ステップにおいて受信された前記献立情報に含まれる複数の前記献立を献立候補として表示する献立候補表示ステップと、
を実行させるためのプログラム。
【発明の詳細な説明】
【技術分野】
【０００１】
本発明は、献立提示装置、献立提示システム及びプログラムに関する。
【背景技術】
【０００２】
従来、複数の食材が予め組み合わされた状態で販売されるミールキットがある。一般に、献立の検討や食材の購入などの作業には多くの手間がかかることがある。このようなミールキットを利用することにより、調理に関する手間を低減することができる。これに関して、献立をコンピュータによって提案することにより、これら調理に関する手間を低減する技術が開示されている（例えば、特許文献１）。
【先行技術文献】
【特許文献】
【０００３】
【特許文献１】特開２０１１−１９１９８０号公報
【発明の概要】
【発明が解決しようとする課題】
【０００４】
しかしながら、上述したようなミールキットによると、献立の検討や食材の購入などの作業の手間は低減できるものの、調理可能な献立が限られてしまうため、調理の面白味が少ないことから調理に飽きてしまい、購入者に対して満足感を十分に与えられるものではないという問題があった。すなわち、従来においては、調理に関する作業の手間を低減することと、飽きにくい調理体験を提供することとを両立させることが困難であるという問題があった。
【課題を解決するための手段】
【０００５】
本発明の一態様は、複数種類の食材を含む食材グループを示す食材グループ情報を取得する食材グループ情報取得部と、食材の種類と、当該食材の分量と、当該食材によって調理可能な複数の献立とが前記食材グループごとに対応付けられた献立情報が記憶される記憶部から、前記食材グループ情報取得部が取得する前記食材グループ情報が示す前記食材グループに対応する前記献立情報を取得する献立情報取得部と、前記献立情報取得部が取得する前記献立情報に含まれる複数の献立を献立候補として、利用者が利用する端末装置に対して送信する献立候補供給部とを備える献立提示装置である。
【０００６】
また、本発明の一態様は、上述の献立提示装置において、前記献立情報とは、献立と１以上の料理レシピとが献立毎に対応付けられた情報である。
【０００７】
また、本発明の一態様は、上述の献立提示装置において、前記食材グループには、タンパク質を含む第１食材と、野菜である第２食材とが含まれる。
【０００８】
また、本発明の一態様は、上述の献立提示装置において、前記献立候補供給部が送信した前記献立候補のうち、利用者が選択する前記献立候補を選択済み献立として取得する選択済み献立取得部と、前記選択済み献立取得部が取得する前記選択済み献立に含まれる食材に関する情報を献立詳細情報として前記端末装置に送信する献立詳細情報供給部とをさらに備える。
【０００９】
また、本発明の一態様は、上述の献立提示装置において、前記献立情報が示す前記食材の分量の変更操作が示す分量変更情報を取得する分量変更情報取得部と、前記分量変更情報取得部が取得する前記分量変更情報に基づいて、前記献立情報取得部が取得する前記献立情報が示す前記食材の分量が変更された情報を、新たな献立情報として生成する献立情報生成部とさらに備え、前記献立候補供給部は、前記献立情報生成部が生成する前記新たな献立情報に含まれる複数の献立を前記献立候補として、前記端末装置に対して送信する。
【００１０】
また、本発明の一態様は、上述の献立提示装置において、前記献立候補供給部が送信した前記献立情報に対応する前記食材グループに含まれる食材の発注情報を取得する発注情報取得部と、前記発注情報取得部が取得する前記発注情報に基づいて、食材の発注を指示する発注指示部とをさらに備える。
【００１１】
また、本発明の一態様は、上述のいずれかの献立提示装置と、端末装置とを備える献立提示システムである。
【００１２】
また、本発明の一態様は、コンピュータに、複数種類の食材を含む食材グループを示す食材グループ情報をサーバ装置に対して送信する食材グループ情報送信ステップと、食材の種類と、当該食材の分量と、当該食材によって調理可能な複数の献立とが前記食材グループごとに対応付けられた献立情報のうち、前記食材グループ情報送信ステップにおいて送信された前記食材グループに対応する前記献立情報を、前記サーバ装置から受信する献立情報受信ステップと、前記献立情報受信ステップにおいて受信された前記献立情報に含まれる複数の前記献立を献立候補として表示する献立候補表示ステップとを実行させるためのプログラムである。
【発明の効果】
【００１３】
本発明によれば、調理に関する手間を低減しつつ、飽きにくい調理体験を提供することができる献立提示装置、献立提示システム及びプログラムを提供することができる。
【図面の簡単な説明】
【００１４】
【図１】本実施形態に係る献立提示システムの機能構成の一例を示す図である。
【図２】本実施形態の記憶部に記憶されるセット食材情報の一例を示す図である。
【図３】本実施形態の記憶部に記憶される献立情報の一例を示す図である。
【図４】本実施形態の記憶部に記憶される売価情報の一例を示す図である。
【図５】本実施形態の献立提示システムの動作の一例を示す図である。
【図６】本実施形態の端末装置に表示される食材グループ情報の取得画像の一例を示す図である。
【図７】本実施形態の端末装置に表示される献立候補の画像の一例を示す図である。
【図８】本実施形態の本実施形態の端末装置に表示される献立詳細情報の選択操作画像の一例を示す図である。
【図９】本実施形態の端末装置に表示される分量変更操作画像の一例を示す図である。
【発明を実施するための形態】
【００１５】
［実施形態］
以下、本発明に係る一実施形態について図面を参照して説明する。
図１は、本実施形態に係る献立提示システム１の機能構成の一例を示す図である。
【００１６】
［献立提示システム１の機能構成］
本実施形態の一例において、献立提示システム１は、サーバ装置１０と、端末装置２０とがネットワークＮＴを介して接続されて構成される。
端末装置２０とは、例えば、スマートフォンやタブレット、パーソナルコンピュータなどである。本実施形態の端末装置２０は、表示部ＤＳと、操作部ＴＰと、撮像部ＣＭとを備える。表示部ＤＳは、例えば、液晶ディスプレイを備えており、種々の画像を表示する。操作部ＴＰは、例えば、タッチパネルを備えており、利用者Ｕによる操作を受け付ける。撮像部ＣＭは、例えば、カメラを備えており、端末装置２０の周囲を撮像可能である。本実施形態の一例では、撮像部ＣＭは、食材グループ情報ＦＧを撮像する。
【００１７】
ここで、食材グループ情報ＦＧとは、例えば、バーコードや二次元コードなどの形式により、複数種類の食材Ｆを含む食材グループＧを示す情報である。食材グループ情報ＦＧは、媒体ＭＤに提示される。媒体ＭＤには、一例として、食材Ｆの包装、食料品売場に掲示されたＰＯＰ広告、料理を紹介するＷＥＢページ、料理雑誌などが含まれる。
なお、本実施形態の一例では、食材グループ情報ＦＧが端末装置２０の撮像部ＣＭによって取得されるものとして記載するが、これに限られない。例えば、食材グループ情報ＦＧは、利用者Ｕによる端末装置２０への文字入力操作などによって取得されるものであってもよい。
【００１８】
以下の説明において、食材グループＧのことを「セット食材」とも記載する。
本実施形態の一例では、複数の種類の食材Ｆがセット食材として１つの梱包材（例えば、網袋や段ボール箱）に同梱される。このセット食材は、スーパーマーケットなどの小売店舗の食料品売場において販売される。なお、セット食材が販売される店舗には、ＥＣサイトや宅配サイトによる、いわゆるネットスーパーなどの仮想店舗が含まれていてもよい。
セット食材に含まれる食材Ｆの種類の組み合わせの一例として、タマネギ、ニンジン、ジャガイモ、…などの野菜と、ロースハム、鶏モモ肉、…などのタンパク質を含む食材Ｆとがある。
すなわち、食材グループＧには、タンパク質を含む食材Ｆ（第１食材Ｆ１）と、野菜である食材Ｆ（第２食材Ｆ２）とが含まれる。
【００１９】
このセット食材の梱包材には、食材Ｆの種類の組み合わせを識別するバーコードが表示されている。以下の説明において、このバーコードなどの、食材Ｆの種類の組み合わせを識別する情報を食材グループ情報ＦＧとも記載する。端末装置２０の撮像部ＣＭは、梱包材に表示されているバーコードを、食材グループ情報ＦＧとして撮像する。
このセット食材に含まれる食材Ｆの種類の組み合わせの情報は、サーバ装置１０に接続されている記憶部３０に、セット食材情報ＳＦとして予め記憶されている。セット食材情報ＳＦの一例について、図２を参照して説明する。
【００２０】
［記憶部３０に記憶される情報］
図２は、本実施形態の記憶部３０に記憶されるセット食材情報ＳＦの一例を示す図である。セット食材情報ＳＦには、食材Ｆの分類（例：野菜、タンパク質を含むもの、…）及び食材Ｆの種類（例：タマネギ、長ネギ、ニンジン、ジャガイモ、…、牛ひき肉、ロースハム、鶏モモ肉、…）と、各セットＳＴにおける食材Ｆの内容量とが互いに紐づけられて記憶されている。
【００２１】
このセット食材情報ＳＦには、食材Ｆの内容量が食材セット毎に記憶されている。例えば、セット食材のうち「セットＳＴ１」には、タマネギが１００ｇ（グラム。以下同じ。）、ニンジンが１００ｇ、ジャガイモが１００ｇ、…、が食材Ｆの内容量として記憶されている。セット食材のうち「セットＳＴ２」には、タマネギが２００ｇ、ニンジンが１００ｇ、…、が食材Ｆの内容量として記憶されている。
【００２２】
この「セットＳＴ１」「セットＳＴ２」…とは、食材Ｆの種類の組み合わせを識別する識別情報である。上述したバーコードなどの食材グループ情報ＦＧには、これら「セットＳＴ１」「セットＳＴ２」…を示す情報が含まれている。
【００２３】
図１に戻り、端末装置２０の撮像部ＣＭは、媒体ＭＤに表示されているバーコード（つまり、セット食材情報ＳＦ）を撮像する。端末装置２０は、撮像部ＣＭが撮像したセット食材情報ＳＦを、ネットワークＮＴを介してサーバ装置１０に送信する。
【００２４】
［サーバ装置１０の機能構成］
サーバ装置１０は、献立提示装置の一例であって、食材グループ情報取得部１１０と、献立情報取得部１２０と、献立候補供給部１３０と、選択済み献立取得部１４０と、献立詳細情報供給部１５０とを、その機能部として備える。
【００２５】
食材グループ情報取得部１１０は、食材グループ情報ＦＧを取得する。上述したように、食材グループ情報ＦＧとは、複数種類の食材Ｆを含む食材グループＧを示す情報である。本実施形態の一例では、端末装置２０は、撮像部ＣＭが撮像したバーコードを食材グループ情報ＦＧとしてサーバ装置１０に送信する。食材グループ情報取得部１１０は、端末装置２０が送信する食材グループ情報ＦＧを取得する。食材グループ情報取得部１１０は、取得した食材グループ情報ＦＧを献立情報取得部１２０に出力する。
【００２６】
献立情報取得部１２０は、食材グループ情報取得部１１０から出力される食材グループ情報ＦＧに基づいて、食材グループ情報ＦＧに対応する献立情報ＭＮを記憶部３０から取得する。ここで、献立情報ＭＮの一例について、図３を参照して説明する。
【００２７】
図３は、本実施形態の記憶部３０に記憶される献立情報ＭＮの一例を示す図である。記憶部３０には、食材セット毎に、献立情報ＭＮが記憶されている。同図には各セットＳＴのうち「セットＳＴ１」についての献立情報ＭＮを一例として示す。
献立情報ＭＮは、上述したセット食材情報ＳＦに基づいて作成される。献立情報ＭＮには、食材Ｆの種類及び内容量と、献立候補情報とが紐づけられて記憶されている。献立候補情報には、「献立Ｍ１」「献立Ｍ２」「献立Ｍ３」…との複数の献立Ｍが、献立候補ＭＣとして含まれている。献立Ｍには、１以上の料理レシピＲが含まれている。例えば、献立Ｍ１には、「料理レシピＲ１１（例：鶏カレー）」「料理レシピＲ１２（例：ポテトサラダ）」…との複数の料理レシピＲが含まれている。
【００２８】
ここで、献立Ｍとは、複数の料理レシピＲの組み合わせを示すものであってもよく、単一の料理レシピＲを示すものであってもよい。
つまり、献立情報ＭＮとは、献立Ｍと１以上の料理レシピＲとが献立Ｍ毎に対応付けられた情報である。
【００２９】
なお、それぞれの献立Ｍには、調理の所要時間が紐づけられていてもよい。この一例では、「献立Ｍ１」には「１２０分」が、「献立Ｍ２」には「６０分」が、「献立Ｍ３」には「３０分」がそれぞれ紐づけられている。
【００３０】
これら複数の献立Ｍは、いずれも、食材セットに含まれる分量の食材Ｆによって調理可能である。例えば、「セットＳＴ１」の献立Ｍは、各献立Ｍに含まれる料理レシピＲの調理に用いられる食材Ｆの分量の総量が、「セットＳＴ１」の食材Ｆのセット内容量を上回らないように設定されている。
【００３１】
換言すれば、献立情報ＭＮとは、食材Ｆの種類と、当該食材Ｆの分量と、当該食材Ｆによって調理可能な複数の献立Ｍとが食材グループＧごとに対応付けられた情報である。
【００３２】
図１に戻り、献立情報取得部１２０は、献立情報ＭＮが記憶される記憶部３０から、献立情報ＭＮを取得する。ここで、献立情報取得部１２０が取得する献立情報ＭＮは、各セットＳＴのうち、食材グループ情報取得部１１０が取得する食材グループ情報ＦＧが示す食材グループＧに対応するセットＳＴについての献立情報ＭＮである。
例えば、端末装置２０の撮像部ＣＭによって撮像されたバーコードが、「セットＳＴ１」の食材グループ情報ＦＧである場合には、献立情報取得部１２０は、この食材グループ情報ＦＧが示す食材グループＧ（つまり「セットＳＴ１」）に対応する献立情報ＭＮを、記憶部３０から取得する。
献立情報取得部１２０は、取得した献立情報ＭＮを献立候補供給部１３０に出力する。
【００３３】
献立候補供給部１３０は、献立情報取得部１２０が取得する献立情報ＭＮに含まれる複数の献立Ｍを献立候補ＭＣとして、利用者Ｕが利用する端末装置２０に対して送信する。
この結果、端末装置２０の表示部ＤＳには、献立候補ＭＣの画像が表示される。また、表示部ＤＳには、複数の献立候補ＭＣのうちから、利用者Ｕが調理したい献立Ｍを選択するための画像が表示される。複数の献立候補ＭＣのうちから、利用者Ｕが調理したい献立Ｍを選択すると、端末装置２０は、選択された献立Ｍを「選択済み献立ＭＳ」としてサーバ装置１０に送信する。
【００３４】
選択済み献立取得部１４０は、献立候補供給部１３０が送信した献立候補ＭＣのうち、利用者Ｕが選択する献立候補ＭＣを選択済み献立ＭＳとして取得する。選択済み献立取得部１４０は、取得した選択済み献立ＭＳを献立情報取得部１２０に出力する。
献立情報取得部１２０は、選択済み献立取得部１４０から出力される選択済み献立ＭＳについての詳細情報を記憶部３０から読み出し、読み出した詳細情報を献立詳細情報Ｄとして献立詳細情報供給部１５０に出力する。
献立詳細情報供給部１５０は、献立情報取得部１２０から出力される献立詳細情報Ｄを端末装置２０に送信する。すなわち、献立詳細情報供給部１５０は、選択済み献立取得部１４０が取得する選択済み献立ＭＳに含まれる食材Ｆに関する情報を献立詳細情報Ｄとして端末装置２０に送信する。
この献立詳細情報Ｄの一例には、セット食材に含まれる食材Ｆの売価の情報（売価情報ＰＲ）がある。売価情報ＰＲの一例について、図４を参照して説明する。
【００３５】
図４は、本実施形態の記憶部３０に記憶される売価情報ＰＲの一例を示す図である。売価情報ＰＲには、食材Ｆの種類と、当該食材Ｆの売価とが紐づけられて記憶されている。この食材Ｆの売価には、例えば、利用者Ｕが利用するスーパーマーケットなどの小売店舗の店頭価格や、ＥＣサイトや宅配サイトによる、いわゆるネットスーパーなどの仮想店舗における販売価格などが含まれる。記憶部３０には、これら食材Ｆの売価がネットワーク（不図示）を介して取得されている。献立詳細情報供給部１５０は、記憶部３０に記憶されている売価情報ＰＲを、献立情報取得部１２０を介して献立詳細情報Ｄとして取得する。献立詳細情報供給部１５０は、操作部ＴＰに対する利用者Ｕの操作に応じて、取得した献立詳細情報Ｄを端末装置２０に送信する。この結果、端末装置２０の表示部ＤＳには、選択済み献立ＭＳに関する献立詳細情報Ｄが表示される。
【００３６】
［献立提示システム１の動作］
次に、図５を参照して本実施形態の献立提示システム１の動作の一例について説明する。
図５は、本実施形態の献立提示システム１の動作の一例を示す図である。
【００３７】
（ステップＳ２１０）端末装置２０は、食材グループ情報ＦＧを取得する。図６を参照して、食材グループ情報ＦＧの取得操作の一例について説明する。
【００３８】
図６は、本実施形態の端末装置２０に表示される食材グループ情報ＦＧの取得画像の一例を示す図である。端末装置２０の表示部ＤＳには、撮像部ＣＭによって撮像されている画像が表示される。同図の一例では、撮像部ＣＭは、媒体ＭＤに提示されているバーコード（つまり、食材グループ情報ＦＧ）を撮像している。表示部ＤＳには、撮像部ＣＭに撮像されたバーコードが画像Ｐ１１として表示される。また、表示部ＤＳには、「撮影」の操作画像Ｂ１１と、「送信」の操作画像Ｂ１２とが表示される。
利用者Ｕが操作画像Ｂ１１を操作（例えば、タップ操作）すると、端末装置２０は、撮像部ＣＭが撮像している画像を端末装置２０内の記憶部（不図示）に取り込む。その後、利用者Ｕが操作画像Ｂ１２を操作すると、端末装置２０は、記憶部に取り込んだ画像をサーバ装置１０に対して送信する。
図５に戻り、この一例では、食材グループ情報ＦＧとは、端末装置２０が備える撮像部ＣＭによって撮像されたバーコードの画像情報である。このバーコードには、食材グループＧを固有に識別可能な情報が含まれている。食材グループ情報取得部１１０は、取得した食材グループ情報ＦＧを、ネットワークＮＴを介してサーバ装置１０に対して送信する。
【００３９】
（ステップＳ１１０）サーバ装置１０の食材グループ情報取得部１１０は、端末装置２０から送信される食材グループ情報ＦＧを取得する。食材グループ情報取得部１１０は、取得した食材グループ情報ＦＧを献立情報取得部１２０に出力する。
（ステップＳ１２０）献立情報取得部１２０は、食材グループ情報取得部１１０から出力される食材グループ情報ＦＧを検索キーにして、セット食材情報ＳＦを検索する。献立情報取得部１２０は、検索の結果、食材グループ情報ＦＧが示す食材グループＧに対応するセットＳＴについての献立情報ＭＮを取得する。献立情報取得部１２０は、取得した献立情報ＭＮを献立候補ＭＣとして献立候補供給部１３０に出力する。献立候補供給部１３０は、献立情報取得部１２０から出力された献立候補ＭＣの情報を端末装置２０に対して送信する。
【００４０】
（ステップＳ２２０）端末装置２０は、ステップＳ１２０において送信された献立候補ＭＣの情報を受信する。端末装置２０は、受信した献立候補ＭＣの画像を表示部ＤＳに表示する。図７を参照して献立候補ＭＣの画像の一例について説明する。
【００４１】
図７は、本実施形態の端末装置２０に表示される献立候補ＭＣの画像の一例を示す図である。端末装置２０は、サーバ装置１０から送信された献立候補ＭＣに含まれる複数の献立Ｍをそれぞれ表示部ＤＳに表示する。同図の一例では、端末装置２０は、「セットＳＴ１」に含まれる食材Ｆによって調理可能な献立Ｍとして、献立Ｍ１の画像Ｐ２１、献立Ｍ２の画像Ｐ２２、及び献立Ｍ３の画像Ｐ２３を表示する。また、端末装置２０は、利用者Ｕが献立Ｍを選択する操作を受け付ける操作画像Ｂ２１〜操作画像Ｂ２３を表示部ＤＳに表示する。
【００４２】
（ステップＳ２３０）端末装置２０は、利用者Ｕによる献立Ｍの選択操作を受け付ける。端末装置２０は、受け付けた選択操作によって選択された献立Ｍを選択済み献立ＭＳとしてサーバ装置１０に送信する。例えば、利用者Ｕが操作画像Ｂ２１を操作（例えば、タップ操作）すると、端末装置２０は、献立Ｍ１を選択済み献立ＭＳとしてサーバ装置１０に送信する。
【００４３】
（ステップＳ１３０）サーバ装置１０の選択済み献立取得部１４０は、ステップＳ２３０において送信された選択済み献立ＭＳを受信する。選択済み献立取得部１４０は、受信した選択済み献立ＭＳを献立情報取得部１２０に出力する。
（ステップＳ１４０）献立情報取得部１２０は、複数の献立Ｍのなかから、選択済み献立ＭＳとして選択された献立Ｍについての献立詳細情報Ｄを、記憶部３０から取得する。献立情報取得部１２０は、取得した献立詳細情報Ｄを献立詳細情報供給部１５０に出力する。献立詳細情報供給部１５０は、献立情報取得部１２０から出力された献立詳細情報Ｄを端末装置２０に対して送信する。
【００４４】
（ステップＳ２４０）端末装置２０は、ステップＳ１４０において送信された献立詳細情報Ｄを表示部ＤＳに表示する。この献立詳細情報Ｄには、例えば、料理レシピＲについての調理方法や、献立Ｍに含まれる食材Ｆの売価などが含まれる。利用者Ｕは、種々の献立詳細情報Ｄのうち、いずれの献立詳細情報Ｄを表示させるかを選択することができる。端末装置２０の表示部ＤＳに表示される献立詳細情報Ｄの選択操作画像の一例について、図８を参照して説明する。
【００４５】
図８は、本実施形態の本実施形態の端末装置２０に表示される献立詳細情報Ｄの選択操作画像の一例を示す図である。同図には、「献立Ｍ１」についての献立詳細情報Ｄを表示する場合を一例にして示している。端末装置２０の表示部ＤＳには、一例として、献立詳細情報Ｄとして、献立Ｍ１の調理時間及び料理レシピＲの構成を示す画像Ｐ３１と、料理レシピＲの調理方法を表示させる操作画像Ｂ３１と、食材Ｆの売価情報ＰＲを表示させる操作画像Ｂ３２と、食材Ｆの購入画面を表示させる操作画像Ｂ３３とが表示される。
【００４６】
［変形例：食材Ｆの発注機能］
本変形例の献立提示システム１は、食材Ｆの発注機能を備えている。利用者Ｕが図８に示した操作画像Ｂ３３を操作することにより、端末装置２０は、食材Ｆの発注サーバ（不図示）に食材Ｆの発注情報を送信する。この発注サーバは、献立提示システム１に含まれていてもよいし、第三者が運営するシステムに含まれていてもよい。
本変形例において、献立提示システム１は、発注情報取得部１８０と、発注指示部１９０とを備える（いずれも不図示）。
発注情報取得部１８０は、献立候補供給部１３０が送信した献立情報ＭＮに対応する食材グループＧに含まれる食材Ｆの発注情報ＯＤを取得する。
発注指示部１９０は、発注情報取得部１８０が取得する発注情報ＯＤに基づいて、食材Ｆの発注を発注サーバに対して指示する。
献立提示システム１は、献立Ｍの各料理レシピＲの調理に用いられる食材Ｆのすべてを一括して発注する機能を備えていてもよい。また、献立提示システム１は、献立Ｍの各料理レシピＲの調理に用いられる食材Ｆのうち、利用者Ｕが選択した一部の食材Ｆについて発注する機能を備えていてもよい。
また、献立提示システム１は、利用者Ｕの家族構成や発注履歴に応じた食材Ｆの分量を算出し、算出した分量の食材Ｆを発注する機能を備えていてもよい。この場合、献立提示システム１には、利用者Ｕの家族構成を予め登録可能な機能を備えていてもよい。またこの場合、献立提示システム１には、利用者Ｕによる食材Ｆの発注履歴を記録し、この発注履歴に含まれる発注分量の記録に基づいて、発注対象の食材Ｆの分量を算出してもよい。
また、献立提示システム１は、食材Ｆの発注先の店舗を予め登録する機能を備えていてもよい。ここで、食材Ｆの発注先の店舗には、実在する店舗及びネットワーク上の仮想店舗のいずれもが含まれる。例えば、献立提示システム１には、利用者Ｕが日頃利用する店舗を食材Ｆの発注先の店舗として登録することができる。
【００４７】
上述の場合、献立提示システム１は、献立候補ＭＣから発注対象の献立Ｍである発注対象献立を選択する操作を受け付ける発注対象選択操作受付部（不図示）と、発注対象選択操作受付部が受け付けた操作が示す発注対象献立に含まれる種類及び分量の食材Ｆの発注情報を、発注サーバに送信する発注情報送信部（不図示）とを備える。
【００４８】
なお、上述において食材Ｆの発注情報とは、食材Ｆを購入するために食材Ｆの購入者から食材Ｆの販売者に対して提示される情報であるとして説明したが、これに限られない。ここでいう食材Ｆの発注情報とは、単に食材Ｆの種類やその他の属性を説明するための情報（食材情報）であってもよい。
【００４９】
［変形例：発注内容の販売店舗への提示機能］
また、献立提示システム１は、利用者Ｕから発注された食材Ｆの種類及び分量を、食材Ｆの販売店舗に対して提示する機能を備えていてもよい。例えば、献立提示システム１は、利用者Ｕから発注がなされた場合、発注先のスーパーマーケットなどの小売店舗の販売員が所持する端末装置（不図示）の表示部に、利用者Ｕから発注された食材Ｆの種類及び分量の一覧を表示する。販売員は、端末装置に表示される食材Ｆの発注情報を見て、販売棚（又はバックヤード）から、発注対象の食材Ｆをピックアップし、ピックアップした複数の食材Ｆを１つの梱包箱にまとめて梱包する。また、販売員が所持する端末装置（不図示）からは、発注された食材Ｆについての食材グループ情報ＦＧ（例えば、バーコード）が印字された商品タグを出力する機能を備えていてもよい。この場合、販売員は、上述ｓの梱包箱などに、食材グループ情報ＦＧ（例えば、バーコード）が印字された商品タグを取り付ける（例えば、貼付する）。
【００５０】
［変形例：売価情報ＰＲの取得機能］
本変形例の献立提示システム１は、種々の取得経路による売価情報ＰＲの取得機能を備えている。献立提示システム１は、例えば、いわゆるネットスーパーの販売管理サーバに接続され、ネットスーパーにおける食材Ｆの現時点の売価を、売価情報ＰＲとして取得する。また、献立提示システム１は、提携している小売店舗のＰＯＳシステムに接続され、このＰＯＳシステムにおいて管理されている食材Ｆの現時点の売価を、売価情報ＰＲとして取得する。また、献立提示システム１は、一般の利用者Ｕからの食材Ｆの売価の投稿を受け付ける機能を備えていてもよい。
【００５１】
上述の場合、献立提示システム１は、発注対象献立に含まれる食材Ｆの売価を示す売価情報ＰＲを取得する売価情報取得部（不図示）と、売価情報取得部が取得する売価情報ＰＲが示す食材Ｆの売価を利用者Ｕに提示する売価提示部（不図示）とを備える。
【００５２】
［変形例：食材Ｆの分量の変更機能］
図９は、本実施形態の端末装置２０に表示される分量変更操作画像の一例を示す図である。本変形例において、献立提示システム１は、分量変更情報取得部１６０と、献立情報生成部１７０とを備える（いずれも不図示）。
【００５３】
分量変更情報取得部１６０は、献立情報ＭＮが示す食材Ｆの分量の変更操作が示す分量変更情報ＣＱを取得する。
献立情報生成部１７０は、分量変更情報取得部１６０が取得する分量変更情報ＣＱに基づいて、献立情報取得部１２０が取得する献立情報ＭＮが示す食材Ｆの分量が変更された情報を、新たな献立情報ＭＮとして生成する。
また、この場合、献立候補供給部１３０は、献立情報生成部１７０が生成する新たな献立情報ＭＮに含まれる複数の献立を献立候補ＭＣとして、端末装置２０に対して送信する。
【００５４】
同図に示すように、表示部ＤＳに表示される献立Ｍの画像Ｐ４１には、食材Ｆの分量を増量する操作画像Ｂ４１と、食材Ｆの分量を減量する操作画像Ｂ４２とが、食材Ｆの種類ごとに示される。端末装置２０の利用者Ｕは、食材Ｆの分量を操作画像Ｂ４１及び操作画像Ｂ４２を操作することにより増減させる。利用者Ｕが、変更確定の操作画像Ｂ４３を操作すると、端末装置２０は、変更後の分量を示す分量変更情報ＣＱをサーバ装置１０に対して送信する。
【００５５】
一例として、献立候補ＭＣとして提示される料理レシピＲ（例えば、料理レシピＲ１として「お好み焼き」、料理レシピＲ２として「きんぴら」）を提示通りに調理した場合、セット食材に含まれる食材Ｆを使い切らない場合がある。すなわち、利用者Ｕが購入したセット食材のうち一部の食材Ｆについて余りが生じる場合がある。
献立提示システム１が提示する献立Ｍとおりに調理した場合、セット食材に含まれる食材Ｆ（例えば、「キャベツ」）が余る場合がある。この場合、利用者Ｕは分量変更操作を行うことにより、食材Ｆ（例えば、「キャベツ」）について、料理レシピＲ（例えば、「お好み焼き」）に使用する分量を増加させる。
【００５６】
このように、本変形例の献立提示システム１は、利用者Ｕの分量変更操作に基づいて、献立Ｍや料理レシピＲを変更することができる。
なお、分量変更操作には、料理レシピＲの食材Ｆの使用分量を、複数の料理レシピＲ間で増減することにより、セット内容量の範囲内において食材Ｆの分量を変更する第１の操作と、セット内容量を増減する第２の操作とが含まれる。
第１の操作の場合、例えば、料理レシピＲ１１に使用する食材Ｆ（例えば、タマネギ）の分量を増加させた場合には、料理レシピＲ１２に使用する食材Ｆ（例えば、タマネギ）の分量が減少する。第１の操作の場合、セット食材に含まれる食材Ｆの分量の総量は、増減操作の前後において変化しない。
第２の操作の場合、例えば、料理レシピＲ１１に使用する食材Ｆ（例えば、タマネギ）の分量を増加させた場合には、セット内容量が増加する。つまり、第２の操作の場合、セット食材に含まれる食材Ｆの総量は、増減操作の前後において変化する。
このように構成することにより、献立提示システム１は、食材Ｆを余らせずに使い切ることができる献立Ｍを提示することができる。
【００５７】
また、本変形例の献立提示システム１は、利用者Ｕの家族構成、１回あたりの食事の分量、料理レシピＲの嗜好の程度（例えば、ある料理レシピＲは好物であるが、他の料理レシピＲは好物でないなど）などに応じて、食材Ｆの分量が変更された料理レシピＲを提示してもよい。
また、本件例の献立提示システム１は、食材Ｆの分量の変更機能を、上述した食材Ｆの発注機能と組み合わせることにより、分量変更後の食材Ｆを発注するように構成することもできる。
【００５８】
［変形例：利用者Ｕの行動履歴に基づく提示］
献立提示システム１は、利用者Ｕの行動履歴に基づいて選択された献立候補ＭＣを提示する構成であってもよい。ここで、利用者Ｕの行動履歴には、利用者Ｕによる食材Ｆの購買履歴、料理レシピＲの調理履歴、料理レシピＲを紹介するＳＮＳ（social networking service）の閲覧履歴や投稿履歴などが含まれる。
本変形例の献立提示システム１は、例えば、過去の所定期間において調理されたことがある料理レシピＲについては献立候補ＭＣから除外し、調理されたことがない料理レシピＲを優先して提示する。また、献立提示システム１は、過去の所定期間内における調理回数が多い料理レシピＲを優先して提示してもよい。
【００５９】
［その他の変形例］
なお、献立提示システム１が提示する料理レシピＲには、提示する時期や季節に応じた料理レシピＲが含まれていてもよい。
また、献立提示システム１が提示する献立候補ＭＣには、料理ジャンルが互いに異なる複数の献立Ｍが含まれていてもよい。例えば、献立提示システム１が提示する献立Ｍには、献立Ｍ１の料理ジャンルとして「和食」が、献立Ｍ２の料理ジャンルとして「洋食」が、献立Ｍ３の料理ジャンルとして「中華」が、献立候補ＭＣとして含まれていてもよい。
また、献立提示システム１は、利用者Ｕから献立Ｍ又は料理レシピＲの提案を受け付ける機能を備えていてもよい。この場合、献立提示システム１は、記憶部３０に予め記憶されている献立情報ＭＮの一部を、利用者Ｕから提案された献立Ｍ又は料理レシピＲに置き換えることにより、献立情報ＭＮを更新する機能を備えていてもよい。
【００６０】
［実施形態のまとめ］
以上説明したように本実施形態の献立提示システム１は、ある１種類のセット食材によって調理可能な献立Ｍを複数提示する。
従来のセット食材によると、１種類のセット食材によって調理可能な献立Ｍが１種類しか提示されていない。このため、従来のセット食材によると、献立Ｍを検討し、献立Ｍに必要な食材Ｆを購入するといった手間を低減することはできるものの、調理の面白味が少ないことから調理に飽きてしまい、購入者に対して満足感を十分に与えられるものではなかった。
本実施形態の献立提示システム１によれば、１種類のセット食材によって調理可能な複数の献立Ｍを提示するため、セット食材の購入者（例えば、利用者Ｕ）には献立Ｍを選択するという楽しみを提供することができる。このため、献立提示システム１によれば、献立Ｍの検討や、食材Ｆの購入といった手間を低減しつつ、飽きにくい調理体験を提供することができる。
【００６１】
以上、本発明の実施形態を、図面を参照して詳述してきたが、具体的な構成はこの実施形態に限られるものではなく、本発明の趣旨を逸脱しない範囲で適宜変更を加えることができる。また、本発明の趣旨を逸脱しない範囲で上述の各実施形態に記載の構成及び動作を任意に組み合わせることができる。
【００６２】
なお、上述の各装置は内部にコンピュータを有している。そして、上述した各装置の各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしてもよい。
【００６３】
また、上記プログラムは、前述した機能の一部を実現するためのものであってもよい。
さらに、前述した機能をコンピュータシステムにすでに記録されているプログラムとの組み合わせで実現できるもの、いわゆる差分ファイル（差分プログラム）であってもよい。
【符号の説明】
【００６４】
１…献立提示システム、１０…サーバ装置、１１０…食材グループ情報取得部、１２０…献立情報取得部、１３０…献立候補供給部、１４０…選択済み献立取得部、１５０…献立詳細情報供給部、１６０…分量変更情報取得部、１７０…献立情報生成部、１８０…発注情報取得部、１９０…発注指示部、２０…端末装置、３０…記憶部、Ｍ…献立、Ｒ…料理レシピ
【図１】
2020077235.tif 000003
【図２】
2020077235.tif 000004
【図３】
2020077235.tif 000005
【図４】
2020077235.tif 000006
【図５】
2020077235.tif 000007
【図６】
2020077235.tif 000008
【図７】
2020077235.tif 000009
【図８】
2020077235.tif 000010
【図９】
2020077235.tif 000011